(57)【特許請求の範囲】
【請求項１】
基準信号入力端子（１１ａ）に印加されている基準信号（ｈ）を用いて設定された繰り返し周期を有する被測定信号（ａ）を発生する測定試験対象の信号発生器（１１）から出力される被測定信号（ａ）を、この被測定信号の繰り返し周期より長い周期を有するサンプリング信号（ｂ）でサンプリングし、このサンプリングされた被測定信号の包絡線波形を求め、この包絡線波形から前記被測定信号の信号波形（ｄ）を求める波形測定装置において、
基準信号入力端子（１６ａ）に印加されている基準信号を用いて前記サンプリング信号を発生するサンプリング信号発生手段（１６）と、
基準信号を発生し、この基準信号を前記信号発生器の基準信号入力端子（１１ａ）及び前記サンプリング信号発生手段の基準信号入力端子（１６ａ）へ印加する、前記信号発生器と前記サンプリング信号発生手段とは独立して構成された基準信号発振器（１４）と
を備えた波形測定装置。
【請求項２】
基準信号発振器（１４）で発生される基準信号（ｈ）を用いて設定された繰り返し周期を有する被測定信号（ａ）を発生する測定試験対象の信号発生器（１１）から出力される被測定信号（ａ）を、この被測定信号の繰り返し周期より長い周期を有するサンプリング信号（ｂ）でサンプリングし、このサンプリングされた被測定信号の包絡線波形を求め、この包絡線波形から前記被測定信号の信号波形（ｄ）を求める波形測定装置であって、
前記基準信号発振器で発生される基準信号を用いて前記サンプリング信号を発生するサンプリング信号発生手段（１６）を備え、
前記基準信号発振器は、前記被測定信号（ａ）を発生する信号発生器本体と前記サンプリング信号発生手段とは独立して構成されるとともに、前記信号発生器内に組込まれて構成される波形測定装置。
【発明の詳細な説明】
【０００１】
【発明の属する技術分野】
本発明は、試験対象の信号発生器から出力された任意の繰り返し周期を有する被測定信号の信号波形を求める波形測定装置に関する。
【０００２】
【従来の技術】
任意の繰り返し周期を有する電気信号や光信号等を発生する信号発生器内には、基準周波数ｆsを有する基準信号を発生する基準信号発振器と、信号波形の波形パターンを発生する波形パターン発生部とが組込まれている。そして、基準信号発振器から出力される基準信号を用いて、指定された繰り返し周波数ｆaを有する繰り返し周波数信号を作成し、この繰り返し周波数信号と波形パターンとを用いて任意の繰り返し周期Ｔaを有する電気信号や光信号を生成する。
【０００３】
このような信号発生器から出力された任意の繰り返し周期Ｔaを有する電気信号や光信号は、一般に、情報通信システムに組込まれた例えば光送信ケーブルを含む各種の通信機器の試験信号として用いられる。
【０００４】
したがって、情報通信システムに組込まれた光送信ケーブルを含む各種の通信機器の試験を実施するに先だって、信号発生器から出力される電気信号や光信号の特性を詳細に測定しておく必要がある。この電気信号や光信号の特性の１つとして信号波形の測定がある。
【０００５】
この任意の繰り返し周期Ｔaを有する電気信号や光信号等からなる被測定信号の信号波形を測定する種々の測定手法が提唱されている。しかし、被測定信号の繰り返し周期Ｔa、すなわち繰り返し周波数ｆaが１０ＧHzを超える高周波信号の場合、被測定信号の信号波形を直接オシロスコープ等の表示画面上で観察できないので、その波形測定手法の選択範囲は自ずと制限がある。
【０００６】
この繰り返し周波数ｆaが１０ＧHzを超える被測定信号の信号波形を測定する代表的手法を図７を用いて説明する。繰り返し周期Ｔa（例えば、繰り返し周波数ｆa＝１０ＧHz）を有する被測定信号ａを、この被測定信号ａの繰り返し周期Ｔaより長い周期Ｔb（例えば、繰り返し周波数ｆb＝９９９．９ＭHz）のサンプリング信号ｂでサンプリングする。この場合、繰り返し周期Ｔa、Ｔb相互間の関係を調整して、図７に示すように、時間経過と共に、被測定信号ａの繰り返し周期Ｔa内の信号波形におけるサンプリング信号ｂのサンプリング位置が微少時間ΔＴずつずれていくようにする。
【０００７】
したがって、このサンプリング信号ｂでサンプリングされた後の被測定信号ｃは、図示するように、サンプリング信号ｂに同期した位置にパルス状波形が出現する離散的波形となる。そして、この各パルス状波形の包絡線波形が被測定信号ａの時間軸方向に拡大された信号波形ｄとなる。
【０００８】
図７に示したサンプリング手法の原理で被測定信号ａの信号波形ｄを測定する波形測定装置は例えば図８に示すように構成されている。
繰り返し周波数ｆa（繰り返し周期Ｔa）を有する被測定信号ａはサンプリング回路１及び分周器２へ入力される。分周器２は、被測定信号ａの繰り返し周波数ｆaを１／ｎに分周して位相比較器３へ送出する。電圧制御発振器（ＶＣＯ）４は、繰り返し周波数ｆaの１／ｎ（ｎ；正整数）の周波数（ｆa／ｎ）を有する信号を発生して位相比較器３へ帰還させる。
【０００９】
位相比較器３は、電圧制御発振器（ＶＣＯ）４の出力信号の位相と分周器２の出力信号の位相との位相差を検出して位相差信号として電圧制御発振器（ＶＣＯ）４へ送出する。このＰＬＬループによって、電圧制御発振器（ＶＣＯ）４からの出力信号の位相は被測定信号ａの位相に同期する。
【００１０】
電圧制御発振器（ＶＣＯ）４から出力された周波数（ｆa／ｎ）を有する出力信号の周波数（ｆa／ｎ）は次の固定の分周器５ａと固定の逓（てい）倍器５ｂとで［（ｆa／ｎ）―Δｆ］の周波数に変換されて、サンプリング信号発生回路６へ入力される。
【００１１】
サンプリング信号発生回路６は、入力された出力信号に同期する
繰り返し周波数ｆb＝［（ｆa／ｎ）―Δｆ］                …(1)
繰り返し周期  Ｔb＝［（ｎＴa）＋ΔＴ］                  …(2)
を有するサンプリング信号ｂをサンプリング回路１へ印加する。但し、ΔｆとΔＴとの関係は近似的に下式で示される。
【００１２】
Δｆ／ΔＴ＝ｆa2／ｎ2                                    …(3)
サンプリング回路１は、入力された被測定信号ａをサンプリング信号発生回路６から入力されたサンプリング信号ｂでサンプリングして、サンプリングされた被測定信号ｃを信号処理・波形表示部７へ送出する。
【００１３】
信号処理・波形表示部７は、入力されたサンプリングされた被測定信号ｃの包絡線波形を算出して、この包絡線波形の時間軸の目盛りを元の被測定信号aの目盛りに変換して、元の被測定信号aの信号波形ｄとして表示出力する。この場合、測定された包絡線波形の被測定信号aの信号波形ｄに対する拡大率は（ｆa／ｎΔｆ）である。
【００１４】
なお、被測定信号ａが電気信号でなくて、光信号の場合、この光信号を電気信号に変換して分周器２へ印加する。また、サンプリング回路１の代りに、例えば電界吸収型変調器を用いる。この電界吸収型変調器は、入射された光信号の進行方向に対してサンプリング信号によるパルス状の電界を印加することによって、入力された光信号からなるパルス状の被測定信号ａをサンプリングすることが可能である。そして、このサンプリングされた光信号からなる被測定信号ｃを電気信号に変換して信号処理・波形表示部７へ送出する。
【００１５】
【発明が解決しようとする課題】
しかしながら、図８に示すサンプリング手法を用いた波形測定装置においてもまだ解消すべき次のような課題があった。
【００１６】
すなわち、サンプリング信号発生回路６から出力される繰り返し周波数ｆb＝［（ｆa／ｎ）―Δｆ］を有するサンプリング信号ｂを作成するための逓（てい）倍器５ｂからの出力信号は、被測定信号ａを分周する分周器２と、位相比較器３と電圧制御発振器（ＶＣＯ）４とで構成されたＰＬＬ回路で作成される。すなわち、サンプリング信号ｂは測定対象の被測定信号ａを加工して作成されるので、サンプリング信号ｂは被測定信号ａに対して常に位相同期している。したがって、信号処理・波形表示部７に表示された被測定信号aの信号波形ｄにおけるジッタの発生量が抑制され、測定精度が向上する。
【００１７】
しかしながら、サンプリング信号ｂの繰り返し周波数ｆbは、前述した(1)、(3)式からも明らかのように、被測定信号ａの繰り返し周波数ｆaの関数で示される。このことは、サンプリング信号ｂの繰り返し周波数ｆbを被測定信号ａの繰り返し周波数ｆaに対して独立して任意に設定できない。よって、被測定信号ａの繰り返し周波数ｆaが変化すると、測定された被測定信号ａの信号波形ｄの時間分解能、すなわち測定精度が自動的に変化する。
【００１８】
このことは、被測定信号ａの信号波形ｄを任意の時間分解能で測定できないことを示す。また、各分周器２，５ａの仕様特性等に起因してサンプリング信号ｂの繰り返し周波数ｆbの選択範囲も大きく制限される。
【００１９】
本発明はこのような事情に鑑みてなされたものであり、被測定信号の繰り返し周期とサンプリング信号の周期とを共通の基準信号で作成することにより、サンプリング信号が被測定信号に対して常に位相同期した状態で、試験対象の信号発生器から出力される被測定信号をサンプリングするサンプリング信号の周波数を被測定信号の繰り返し周波数に対して独立して任意に設定でき、ジッタ発生量を大幅に抑制した状態で、被測定信号の信号波形の測定精度を向上できるとともに、信号波形を任意の分解精度で測定できる波形測定装置を提供することを目的とする。
【００２０】
【課題を解決するための手段】
本発明は、基準信号入力端子に印加されている基準信号を用いて設定された繰り返し周期を有する被測定信号を発生する測定試験対象の信号発生器から出力される被測定信号を、この被測定信号の繰り返し周期より長い周期を有するサンプリング信号でサンプリングし、このサンプリングされた被測定信号の包絡線波形を求め、この包絡線波形から被測定信号の信号波形を求める波形測定装置において、基準信号入力端子に印加されている基準信号を用いてサンプリング信号を発生するサンプリング信号発生手段と、基準信号を発生し、この基準信号を信号発生器の基準信号入力端子及びサンプリング信号発生手段の基準信号入力端子へ印加する、前記信号発生器と前記サンプリング信号発生手段とは独立して構成された基準信号発振器とを備えている。
【００２１】
このように構成された波形測定装置で信号波形が測定される被測定信号を出力する試験対象の信号発生器内には、被測定信号の繰り返し周波数の作成に用いる基準周波数を有する基準信号を発生する基準信号発振器は設けられていなくて、基準信号入力端子に外部から印加された基準信号を用いる。
【００２２】
そして、波形測定装置側に設けられた基準信号発振器から出力される基準信号がサンプリング信号発生手段と信号発生器とに供給される。したがって、サンプリング信号と被測定信号とは常に位相同期した状態を維持している。しかも、サンプリング信号は被測定信号を加工して求めているのではなく、基準信号を加工して求めている。
【００２３】
よって、簡単な構成で、被測定信号をサンプリングするサンプリング信号の繰り返し周波数を、被測定信号の繰り返し周波数に対して独立して任意に設定でき、かつ被測定信号に対して常に位相同期が取れているので、ジッタ発生が抑制される。
【００２４】
また、別の発明は、基準信号発振器で発生される基準信号を用いて設定された繰り返し周期を有する被測定信号を発生する測定試験対象の信号発生器から出力される被測定信号を、この被測定信号の繰り返し周期より長い周期を有するサンプリング信号でサンプリングし、このサンプリングされた被測定信号の包絡線波形を求め、この包絡線波形から被測定信号の信号波形を求める波形測定装置であって、前記基準信号発振器で発生される基準信号を用いて前記サンプリング信号を発生するサンプリング信号発生手段を備え、前記基準信号発振器は、前記被測定信号を発生する信号発生器本体と前記サンプリング信号発生手段とは独立して構成されるとともに、前記信号発生器内に組込まれて構成される。
【００２５】
このように構成された波形測定装置で信号波形が測定される被測定信号を出力する試験対象の信号発生器内には、被測定信号の繰り返し周波数の作成に用いる基準周波数を有する基準信号を発生する基準信号発振器が設けられている。
【００２６】
逆に、波形測定装置内に、基準信号を発生する基準信号発振器は設けられていない。そして、サンプリング信号は試験対象の信号発生器内に設けられた基準信号発振器から出力される基準信号を用いて作成される。
【００２７】
したがって、被測定信号とサンプリング信号とは１つの基準信号発振器から出力される共通の基準信号を用いて作成されるので、上述した発明と同じ作用効果を奏することが可能である。
【００２８】
【発明の実施の形態】
以下、本発明の各実施形態を図面を用いて説明する。
（第１実施形態）
図１は本発明の第１実施形態に係る波形測定装置の概略構成を示すブロック図である。
【００２９】
光信号である被測定信号ａを出力する試験対象の信号発生器１１内には、繰り返し周波数信号発生器１２と波形パターン発生部１３とが設けられている。この信号発生器１１内の繰り返し周波数信号発生器１２の基準信号入力端子には、波形測定装置側に組込まれた基準信号発振器１４から例えば１０ＭHzの基準周波数ｆs（＝１０ＭHz）を有する基準信号ｈが印加されている。
【００３０】
図２は、信号発生器１１の内部構成図である。繰り返し周波数信号発生器１２は、例えば、周波数シンセサイザで構成されており、基準信号入力端子に印加されている基準周波数ｆs（＝１０ＭHz）を有する基準信号ｈを逓（てい）倍又は分周することによって、任意の周波数（繰り返し周波数ｆa）を有した繰り返し周波数信号ｅを作成可能である。具体的には、基準信号ｈを１０００逓（てい）倍して、１０ＧHzの周波数（繰り返し周波数ｆa）を有した繰り返し周波数信号ｅを作成する。そして、この作成した繰り返し周波数信号ｅを次の波形パターン発生部１３の短パルス光源１３ａへ送出する。
【００３１】
短パルス光源１３ａは、例えば単一波長光を発光する半導体レーザ光源で構成されており、入力された繰り返し周波数信号ｅの周波数ｆaを有する光信号を発生して、各ＰＰＧ（パルス・パターン・ジェネレータ）１３ｂへ送出する。各ＰＰＧ１３ｂにはそれそれ予め設定された送信すべきデータを含むパルスパターンか記憶されており、入力された光信号をこのパルスパターンで変調する。
【００３２】
各ＰＰＧ１３ｂから出力された各種データを含む光信号は、各遅延回路１３ｃで互いにデータが重複しないようにそれぞれ所定時間だけ遅延されたのち、光信号合波器１３ｄで合波された後、繰り返し周波数ｆa（繰り返し周期Ｔa）を有した被測定信号ａとなる。したがって、この被測定信号ａにおける１つの繰り返し周期Ｔa内に各ＰＰＧ１３ｂで設定されたデータの波形が含まれる。
信号発生器１１から出力された繰り返し周期Ｔaを有した被測定信号ａは電界吸収型変調器１５へ入射される。
【００３３】
一方、波形測定装置側に組込まれた基準信号発振器１４は、例えば１０ＭHzの基準周波数ｆs（＝１０ＭHz）を有する基準信号ｈを発振して、この基準信号ｈを信号発生器１１へ送出すると共に、サンプリング信号発生回路１６の信号発生器１７の基準信号入力端子に印加する。
【００３４】
サンプリング信号発生回路１６の信号発生器１７は、前述した繰り返し周波数信号発生器１２と同様に、周波数シンセサイザで構成されており、基準信号入力端子に印加されている基準周波数ｆs（＝１０ＭHz）を有する基準信号ｈを逓（てい）倍又は分周することによって、任意の周波数の信号を作成可能である。具体的には、信号発生器１７は、このサンプリング信号発生回路１６から出力されるサンプリング信号ｂの繰り返し周波数の周波数ｆbを有した正弦波の信号を作成する。
【００３５】
このサンプリング信号ｂの繰り返し周波数ｆbは、制御部１９内のサンプリング周波数設定部２０から指定される。ここで、サンプリング信号ｂの繰り返し周波数ｆbと被測定信号ａの繰り返し周波数ｆaとの関係を検証すると、前述した(1)式に、ｆa＝１０ＧHz、ｆb＝９９９．９ＭHzを代入すると、
ｆb＝（ｆa／ｎ）―Δｆ                            …(1)
例えば、ｎ＝１０、Δｆ＝０．１ＭHzで(1)式が成立する。
【００３６】
信号発生器１７から出力された周波数ｆbを有する正弦波形の信号は、次の波形整形回路１８で、図７に示すような繰り返し周波数ｆb（繰り返し周期Ｔb）を有するパルス波形状のサンプリング信号ｂに波形整形される。サンプリング信号発生回路１６から出力された繰り返し周波数ｆbを有するサンプリング信号ｂは電界吸収型変調器１５へ入力される。
【００３７】
電界吸収型変調器１５は、前述したように、入射された光信号の被測定信号ａをサンプリング信号発生回路１６から入力されたサンプリング信号ｂでサンプリングして、サンプリングされた光信号の被測定信号ｃを受光器２１へ出射する。
【００３８】
受光器２１は、入射されたサンプリング後の光信号の被測定信号ｃを電気信号の被測定信号ｃ1に変換する。受光器２１から出力された被測定信号ｃ1はＡ／Ｄ器２２でデジタルのサンプリングされた被測定信号ｃ2にＡ／Ｄ変換されて、データ処理部２３へ入力される。
【００３９】
データ処理部２３は、入力されたサンプリングされた被測定信号ｃ2の包絡線波形を算出して、この包絡線波形の時間軸の目盛りを元の被測定信号aの目盛りに変換して、被測定信号aの信号波形ｄとして表示部２４に表示出力する。
【００４０】
なお、繰り返し周波数信号発生器１２で作成される繰り返し周波数信号ｅの繰り返し周波数ｆaと、信号発生器１７で作成される正弦波の信号の繰り返し周波数ｆbとが正確に(1)式を満たしていないことに起因して、表示部２４に表示された被測定信号aの信号波形ｄが表示画面上でドリフトする場合がある。制御部１９の表示制御部２５は、表示部２４に表示された被測定信号aの信号波形ｄを監視し、見かけ上、このドリフトが発生しないように、信号波形ｄの表示画面上の走査（スイープ）開始位置をその都度調整する。
【００４１】
このように構成された第１実施形態の波形測定装置においては、波形測定装置側に設けられた基準信号発振器１４から出力される基準周波数ｆsを有する基準信号ｈがサンプリング信号発生回１６の信号発生器１７と信号発生器１１の繰り返し周波数信号発生器１２とに供給される。信号発生器１７と繰り返し周波数信号発生器１２とは、共に、基準信号ｈを分周又は逓（てい）倍することによって、正弦波の信号及び繰り返し周波数信号ｅを作成している。
【００４２】
したがって、これらの信号から生成されるサンプリング信号ｂと被測定信号ａとは常に位相同期した状態を維持している。しかも、サンプリング信号ｂは、被測定信号ａを加工して求めているのではなく、基準信号ｈを加工して求めている。
【００４３】
よって、制御部１９のサンプリング周波数設定部２０にて、被測定信号ａを電界吸収型変調器１５を用いてサンプリングするサンプリング信号ｂの繰り返し周波数ｆbを、被測定信号ａの繰り返し周波数ｆaに独立して任意に設定できる。その結果、被測定信号ａの信号波形ｄを任意の分解能で測定できる。
【００４４】
かつ被測定信号ａに対して常に位相同期が取れているので、ジッタ発生が抑制され、被測定信号ａの信号波形ｄの測定精度を大幅に向上できる。
【００４５】
（第２実施形態）
図３は本発明の第２実施形態に係わる波形測定装置の概略構成を示すブロック図である。図１に示した第１実施形態の波形測定装置と同一部には同一符号を付して、重複する部分の詳細説明を省略する。
【００４６】
この第２実施形態の波形測定装置においては、信号発生器１１から出力された繰り返し周波数ｆaを有する被測定信号ａはそのまま電界吸収型変調器１５へ入射されると共に、分波器２６で分波されて受光器２７へ入射される。受光器２７は入射された光信号の被測定信号ａを電気信号の被測定信号ａ1に変換して周波数カウンタ２８へ送出する。
【００４７】
周波数カウンタ２８は、入力された電気信号の被測定信号ａ1の繰り返し周波数ｆaを測定して、測定された繰り返し周波数ｆaのデータを制御部１９のサンプリング周波数設定部２０ａへ送出する。なお、周波数カウンタ２８には、被測定信号ａ1のクロック（波形）のタイミングとクロックカウントのタイミングとの同期を取るために、基準信号発振器１４から基準信号ｈが入力されている。
【００４８】
制御部１９のサンプリング周波数設定部２０ａは、周波数カウンタ２８から入力された被測定信号ａの繰り返し周波数ｆaから前述した(1)式を用いて、サンプリング信号発生回路１６から出力されるサンプリング信号ｂの繰り返し周波数ｆbを算出する。
【００４９】
ｆb＝（ｆa／ｎ）―Δｆ                            …(1)
例えば、ｎ＝１０、Δｆ＝０．１ＭHzで測定値がｆa＝１０ＧHzの場合、サンプリング信号ｂの繰り返し周波数ｆbは、ｆb＝９９９．９ＭHzとなる。
【００５０】
サンプリング周波数設定部２０ａは、算出した繰り返し周波数ｆbをサンプリング信号発生回路１６の信号発生器１７に設定する。信号発生器１７は、図１に示す第１実施形態の波形測定装置における信号発生器１７と同様に、基準信号ｈを用いて、繰り返し周波数ｆbの周波数ｆbを有する正弦波の信号を発生して次の波形整形回路１８へ送出する。これ以降の動作は、図１に示した第１実施形態の波形測定装置の動作と同じである。
【００５１】
このように構成された第２実施形態の波形測定装置においては、周波数カウンタ２８で、被測定信号ａの繰り返し周波数ｆaを測定して、この繰り返し周波数ｆaからサンプリング信号ｂの繰り返し周波数ｆbを求めて、信号発生器１７に設定しているので、第１実施形態の波形測定装置と同様に、ジッタの発生量を抑制した状態で、被測定信号ａの信号波形ｄを任意の分解精度で測定できる。
【００５２】
さらに、この第２実施形態の波形測定装置においては、たとえ被測定信号ａの繰り返し周波数ｆaが不明であったとしても、被測定信号ａの信号波形ｄを正しく測定できる。
【００５３】
（第３実施形態）
図４は本発明の第３実施形態に係わる波形測定装置の概略構成を示すブロック図である。図３に示した第２実施形態の波形測定装置と同一部には同一符号を付して、重複する部分の詳細説明を省略する。
【００５４】
この第３実施形態の波形測定装置においては、信号発生器１１から出力された繰り返し周波数ｆaを有する被測定信号ａはそのまま電界吸収型変調器１５へ入射されると共に、分波器２６で分波されてクロック再生器２９へ入射される。
【００５５】
クロック再生器２９は、入射された光信号からなる被測定信号ａにおける繰り返し周期Ｔａの開始タイミング、すなわち、繰り返し周期Ｔａ（周波数ｆa）のクロックを検出して、入射された光信号からなる被測定信号ａを、周波数ｆa（繰り返し周波数）を有する電気信号である、図５（ｄ）に示す再生クロック信号ｇに変換して次の周波数カウンタ２８へ送出する。
【００５６】
周波数カウンタ２８は、入力された電気信号の再生クロック信号ｇの周波数（繰り返し周波数ｆa）を測定して、測定された繰り返し周波数ｆaのデータを制御部１９のサンプリング周波数設定部２０ａへ送出する。これ以降の動作は、図３に示した第２実施形態の波形測定装置の動作と同じである。
【００５７】
このように構成された第３実施形態の波形測定装置においても、周波数カウンタ２８で、被測定信号ａの繰り返し周波数ｆaが測定できるので、第２実施形態の波形測定装置と同様に、ジッタの発生量を抑制した状態で、被測定信号ａの信号波形ｄを任意の分解精度で測定できる。
【００５８】
さらに、この第３実施形態の波形測定装置においては、クロック再生器２９を用いて、繰り返し周期Ｔａ（周波数ｆa）のクロックを検出して再生クロック信号ｇを周波数カウンタ２８へ送出している。すなわち、図５（ｂ）、（ｃ）の各波形に示すように、被測定信号ｚの波形は様々な形状を有しており、図５（ａ）の波形に示すように、繰り返し周期Ｔａ（周波数ｆa）毎に、明確な１個のピーク波形が存在するとは限らない。したがって、このような波形を有する被測定信号ａを周波数カウンタ２８で直接繰り返し周波数ｆa（繰り返し周期Ｔａ）を計数したとしても、誤って、多くのピーク波形や少ないピーク波形を計数してしまい、誤った繰り返し周波数ｆaを出力する懸念がある。
【００５９】
そこで、クロック再生器２９を用いて被測定信号ａのクロックを再生して図５（ｄ）に示す再生クロック信号ｇを得ることにより、たとえ、被測定信号ａが図５（ｂ）、（ｃ）に示す複雑な波形を有していたとしても、被測定信号ａの繰り返し周波数ｆa（繰り返し周期Ｔａ）を高い精度で検出できる。
【００６０】
（第４実施形態）
図６は本発明の第４実施形態に係わる波形測定装置の概略構成を示すブロック図である。図４に示した第３実施形態の波形測定装置と同一部には同一符号を付して、重複する部分の詳細説明を省略する。
【００６１】
この第４実施形態の波形測定装置においては、信号発生器１１内に基準信号発振器１４が組込まれている。そして、波形測定装置側に基準信号発振器１４は設けられていない。信号発生器１１内に組込まれた基準信号発振器１４は、基準周波数ｆsを有する基準信号ｈを発振して、この基準信号ｈを信号発生器１１内の繰り返し周波数信号発生器１２の基準信号入力端子へ印加すると共に、波形測定装置側のサンプリング信号発生回路１６の信号発生器１７の基準信号入力端子へ印加する。その他の構成は、図４に示した第３実施形態の波形測定装置と同じである。
【００６２】
このように構成された、第４実施形態の波形測定装置においても、信号発生器１１から出力される被測定信号ａとサンプリング信号発生回路１６から出力されるサンプリング信号ｂとは完全に位相同期状態を維持し、サンプリング信号ｂの繰り返し周波数ｆbを被測定信号ａの繰り返し周波数ｆaに対して独立に設定できるので、図４に示した第３実施形態の波形測定装置とほぼ同一の作用効果を奏することが可能である。
【００６３】
さらに、この第４実施形態の波形測定装置においては、被測定信号ａを出力する信号発生器１１から基準信号ｈをサンプリング信号ｂの作成用に使用しているので、波形測定装置の構成を簡素化できる。
【００６４】
なお、本発明は、上述した第２、第３、第４の各実施形態装置に限定されるものではない。第２、第３、第４の各波形測定装置においては、周波数カウンタ２８で測定した被測定信号ａの繰り返し周波数ｆaを自動的に制御部１９のサンプリング周波数設定部２０ａへ設定するようにした。
【００６５】
しかしながら、周波数カウンタ２８の測定値（繰り返し周波数ｆa）を操作者（オペレータ）が目視で読取り、操作者（オペレータ）がマニュアル操作で制御部１９のサンプリング周波数設定部２０ａへ設定するようにしてもよい。
【００６６】
さらに、第１〜第４の各実施形態装置においては、被測定信号ａは光信号であると仮定した。しかし、被測定信号ａは通常の電気信号であってもよい。この場合、電界吸収型変調器１５の代りに、図８に示す通常の電気信号に適用されるサンプリング回路１を採用し、さらに、受光器２１を除去する。
【００６７】
【発明の効果】
以上説明したように、本発明の波形測定装置においては、被測定信号の繰り返し周期とサンプリング信号の繰り返し周期とを共通の基準信号発振器から出力される同一の基準信号で作成するようにしている。
したがって、サンプリング信号が被測定信号に対して常に位相同期した状態で、試験対象の信号発生器から出力される被測定信号をサンプリングするサンプリング信号の繰り返し周波数を被測定信号の繰り返し周波数に対して独立して任意に設定でき、ジッタ発生量を大幅に抑制した状態で、被測定信号の信号波形の測定精度を向上できるとともに、信号波形を任意の分解精度で測定できる。
【図面の簡単な説明】
【図１】本発明の第１実施形態に係わる波形測定装置の概略構成を示すブロック図
【図２】同第１実施形態の波形測定装置にて測定される被測定信号を発生する信号発生器の概略構成を示すブロック図
【図３】本発明の第２実施形態に係わる波形測定装置の概略構成を示すブロック図
【図４】本発明の第３実施形態に係わる波形測定装置の概略構成を示すブロック図
【図５】同第３実施形態に係わる波形測定装置に組込まれたクロック再生器の効果を説明するための被測定信号及び再生クロック信号の波形図
【図６】本発明の第４実施形態に係わる波形測定装置の概略構成を示すブロック図
【図７】被測定信号の信号波形をサンプリング手法を用いて求める原理を説明するための図
【図８】従来の波形測定装置の概略構成を示すブロック図
【符号の説明】
ａ…被測定信号
ｂ…サンプリング信号
ｄ…信号波形
ｇ…再生クロック信号
ｈ…基準信号
１１…信号発生器
１２…繰り返し周波数信号発生器
１３…波形パターン発生部
１４…基準信号発振器
１５…電界吸収型変調器
１６…サンプリング信号発生回路
１７…信号発生器
１８…波形整形回路
１９…制御部
２０、２０ａ…サンプリング周波数設定部
２１、２７…受光器
２３…データ処理部
２４…表示部
２５…表示制御部
２８…周波数カウンタ
２９…クロック再生器
【図１】
0004647759.tif 000002
【図２】
0004647759.tif 000003
【図３】
0004647759.tif 000004
【図４】
0004647759.tif 000005
【図５】
0004647759.tif 000006
【図６】
0004647759.tif 000007
【図７】
0004647759.tif 000008
【図８】
0004647759.tif 000009